(57)【要約】      （修正有）【課題】情報フレームが車両走行によりぐらつくことのない片側開閉カバー式ヘッドアップディスプレイ装置を提供する。【解決手段】ヘッドアップディスプレイ装置は、機体２１、ディスプレイモジュール２２、片側開閉カバー２３、回転軸セット２４及び回転軸２５を包含する。ディスプレイモジュールにより表示フレーム情報を片側開閉カバーの反射板に投射し、片側開閉カバーを上向きに定位置まで回した時、回転軸セットのスリーブ２４１のスライドブロック２４１１が第１凹孔２１６の滑り溝と嵌合し、バネ２４４の弾力作用により、横向き移動し、強制的にスリーブの底部の第２凹溝を第２凹孔２３２の凸塊と嵌合させ、これにより、片側開閉カバーの回転角度が固定される。【選択図】図５
0003186157.tif 000002
【実用新案登録請求の範囲】
【請求項１】
片側開閉カバー式ヘッドアップディスプレイ装置において、
機体であって、その内部に収容空間を具え、該収容空間の内部に回路板を収容し、該機体の上表面に表示開口が設けられ、該機体の両側それぞれに第１凹溝と第１凹孔が設けられ、該第１凹孔内に滑り溝が設けられた、上記機体と、
表示モジュールであって、電気的に該回路板に接続され、並びに該表示開口に設置されて、該回路板が出力する表示フレーム情報を受け取る、上記表示モジュールと、
片側開閉カバーであって、その一側辺の両端にそれぞれ回転軸シートと第２凹孔が設けられ、該回転軸シートは該機体の両側の第１凹溝内に枢設され、該片側開閉カバー内面に反射板が設けられて、該表示モジュールが表示フレーム情報を該反射板に投射し、該第２凹孔に少なくとも一つの凸塊が設けられた、上記片側開閉カバーと、
回転軸セットであって、該機体の一側の第１凹孔と該片側開閉カバーの一側の第２凹孔内に枢設され、外側にスライドブロックが設けられ、該スライドブロックは該第１凹孔の滑り溝に嵌合され、底部に少なくとも一つの第２凹溝が設けられ、該第２凹溝は該第２凹孔の凸塊と嵌合される、上記回転軸セットと、
回転軸であって、該機体の他側の第１凹孔と該片側開閉カバーの他側の第２凹孔内に枢設される、上記回転軸と、
を包含したことを特徴とする、片側開閉カバー式ヘッドアップディスプレイ装置。
【請求項２】
請求項１記載の片側開閉カバー式ヘッドアップディスプレイ装置において、さらに覗き見防止シートを包含し、該覗き見防止シートは該表示モジュールの上方に設置されることを特徴とする、片側開閉カバー式ヘッドアップディスプレイ装置。
【請求項３】
請求項１記載の片側開閉カバー式ヘッドアップディスプレイ装置において、さらにホトセンシングモジュールを包含し、該ホトセンシングモジュールは該回路板に電気的に接続され、これにより該表示モジュールの輝度が調整されることを特徴とする、片側開閉カバー式ヘッドアップディスプレイ装置。
【請求項４】
請求項１記載の片側開閉カバー式ヘッドアップディスプレイ装置において、該片側開閉カバーは透明カバーとされ、該片側開閉カバーの反射板はメッキ膜或いはシールフィルムとされることを特徴とする、片側開閉カバー式ヘッドアップディスプレイ装置。
【請求項５】
請求項１記載の片側開閉カバー式ヘッドアップディスプレイ装置において、さらにスピーカーモジュールを包含し、該スピーカーモジュールは該回路板に電気的に接続され、音声情報がスピーカーモジュールによりドライバーに告知されることを特徴とする、片側開閉カバー式ヘッドアップディスプレイ装置。
【請求項６】
請求項１記載の片側開閉カバー式ヘッドアップディスプレイ装置において、上述の回転軸セットは、スリーブ、ボルト、ナット、及びバネを包含し、該バネは該ボルトに嵌合され、並びに該スリーブ内に収容され、該ナットは該ボルトの末端に螺合されることを特徴とする、片側開閉カバー式ヘッドアップディスプレイ装置。
【請求項７】
片側開閉カバー式ヘッドアップディスプレイ装置において、
機体であって、その内部に収容空間を具え、その内部に回路板を収容し、該機体の上表面に表示開口が設けられ、該機体の両側それぞれに第１凹溝と第１凹孔が設けられ、該第１凹孔内に滑り溝が設けられた、上記機体と、
表示モジュールであって、電気的に該回路板に接続され、並びに該表示開口に設置されて、該回路板が出力する表示フレーム情報を受け取る、上記表示モジュールと、
片側開閉カバーであって、その一側辺の両端にそれぞれ回転軸シートと第２凹孔が設けられ、該回転軸シートは該機体の両側の第１凹溝内に枢設され、該片側開閉カバー内面に反射板が設けられて、該表示モジュールが表示フレーム情報を該反射板に投射し、該第２凹孔に少なくとも一つの凸塊が設けられた、上記片側開閉カバーと、
二つの回転軸セットであって、該機体の両側の第１凹孔と該片側開閉カバーの両側の第２凹孔内に枢設され、外側にスライドブロックが設けられ、該スライドブロックは該第１凹孔の滑り溝に嵌合され、底部に少なくとも一つの第２凹溝が設けられ、該第２凹溝は該第２凹孔の凸塊と嵌合される、上記二つの回転軸セットと、
を包含することを特徴とする、片側開閉カバー式ヘッドアップディスプレイ装置。
【請求項８】
請求項７記載の片側開閉カバー式ヘッドアップディスプレイ装置において、さらに覗き見防止シートを包含し、該覗き見防止シートは該表示モジュールの上方に設置されることを特徴とする、片側開閉カバー式ヘッドアップディスプレイ装置。
【請求項９】
請求項７記載の片側開閉カバー式ヘッドアップディスプレイ装置において、さらにホトセンシングモジュールを包含し、該ホトセンシングモジュールは該回路板に電気的に接続され、これにより該表示モジュールの輝度が調整されることを特徴とする、片側開閉カバー式ヘッドアップディスプレイ装置。
【請求項１０】
請求項７記載の片側開閉カバー式ヘッドアップディスプレイ装置において、該片側開閉カバーは透明カバーとされ、該片側開閉カバーの反射板はメッキ膜或いはシールフィルムとされることを特徴とする、片側開閉カバー式ヘッドアップディスプレイ装置。
【請求項１１】
請求項７記載の片側開閉カバー式ヘッドアップディスプレイ装置において、さらにスピーカーモジュールを包含し、該スピーカーモジュールは該回路板に電気的に接続され、音声情報がスピーカーモジュールによりドライバーに告知されることを特徴とする、片側開閉カバー式ヘッドアップディスプレイ装置。
【請求項１２】
請求項７記載の片側開閉カバー式ヘッドアップディスプレイ装置において、上述の回転軸セットは、スリーブ、ボルト、ナット、及びバネを包含し、該バネは該ボルトに嵌合され、並びに該スリーブ内に収容され、該ナットは該ボルトの末端に螺合されることを特徴とする、片側開閉カバー式ヘッドアップディスプレイ装置。
【考案の詳細な説明】
【技術分野】
【０００１】
本考案は一種の片側開閉カバー式ヘッドアップディスプレイ装置に係り、特に一種の、片側開閉カバーの回転角度を固定できる車両用ヘッドアップディスプレイ装置であって、情報フレームが車両の走行によりぐらつくことがないようにしたものに関する。
【背景技術】
【０００２】
近年、市場には車に取り付けられる多くの外接式ヘッドアップディスプレイが出現し、これらのヘッドアップディスプレイの機能は、最も簡単な時速、エンジン回転速度から、現在の、連水温、スロットル位置、オイル量、速度オーバー表示、車両後退画像、さらには速度測定レーダー等が一つに整合されている。ある製品は、さらにクイックインストールを強調しており、それはただ車用コンピュータに接続すれば、別に配線する必要がない。あるメーカーの高級車種はさらに、ナビゲーションシステムと前後の車間距離等のデータを、ヘッドアップディスプレイが表示する情報中に加え、ドライバーに少なからぬ便利性を提供している。市販されている外接式ヘッドアップディスプレイの価格は、機能が簡単なものの数千円から、品質が優れ機能が多様であるものの数万円のものまである。これらの市販のヘッドアップディスプレイはいずれも直接に、表示する必要がある情報を自動車のウインドシールドガラスの上に投射するが、自動車のウインドシールドガラスの規格は一つではなく、さらに、車が長期に高速で走行すると、ウインドシールドガラスの表面は跳ね上がった小石により引っかかれ、並びに非常に多くの小さな凹点を発生し、特に陽光がウインドシールドガラスに照射する時、これらの小さな凹点は往々にして多くの不規則な小屈折を形成し得て、その分布が密集しすぎると、フレーム情報の観測に影響を与える。これにより、いかに明晰度が高い反射フレームを提供するかが、業界の解決しようとする課題となっている。
【０００３】
図１を参照されたい。それは伝統的なディスプレイ１１であり、それは、回転軸１２を回転機構となした例であり、類似の構造は非常に多く、且つ機能は一つではなく、構造が複雑で製造コストが高いという問題を普遍的に有している。それらが使用される状況は、ほとんどが静態操作であり、表示フレームがぐらつく問題については考慮されておらず、この点とヘッドアップディスプレイは非常に大きな区別を有する。片側開閉カバー式ヘッドアップディスプレイ装置に使用可能な回転軸機構は、フレーム情報を安定した状態に維持して、走行中にフレームのぐらつきを発生させないようにする要求を有し、これが現在の既知の３Ｃ製品の回転軸機構が容易には克服できない技術的ネックである。
【考案の概要】
【考案が解決しようとする課題】
【０００４】
周知の技術の欠点を鑑み、本考案者は、片側開閉カバーの反射面を利用してフレーム情報の投射表示を提供し、同時に既存の各種３Ｃ製品の回転の回転軸機構を参酌し、ついに本考案の一種の片側開閉カバー式ヘッドアップディスプレイ装置の創作を完成した。すなわち、本考案の目的は、一種の、片側開閉カバーの回転角度を固定できて情報フレームが車両走行によりぐらつかない車用ヘッドアップディスプレイ装置を提供することにある。
【課題を解決するための手段】
【０００５】
上述の本考案の目的を達成するため、本考案の片側開閉カバー式ヘッドアップディスプレイ装置はその第１実施例において、
機体であって、その内部に収容空間を具え、その内部に回路板を収容し、該機体の上表面に表示開口が設けられ、該機体の両側それぞれに第１凹溝と第１凹孔が設けられ、該第１凹孔内に滑り溝が設けられた、上記機体と、
表示モジュールであって、電気的に該回路板に接続され、並びに該表示開口に設置されて、該回路板が出力する表示フレーム情報を受け取る、上記表示モジュールと、
片側開閉カバーであって、その一側辺の両端にそれぞれ回転軸シートと第２凹孔が設けられ、該回転軸シートは該機体の両側の第１凹溝内に枢設され、該片側開閉カバー内面に反射板が設けられて、該表示モジュールが表示フレーム情報を該反射板に投射し、該第２凹孔に少なくとも一つの凸塊が設けられた、上記片側開閉カバーと、
回転軸セットであって、該機体の一側の第１凹孔と該片側開閉カバーの一側の第２凹孔内に枢設され、外側にスライドブロックが設けられ、該スライドブロックは該第１凹孔の滑り溝に嵌合され、底部に少なくとも一つの第２凹溝が設けられ、該第２凹溝は該第２凹孔の凸塊と嵌合される、上記回転軸セットと、
回転軸であって、該機体の他側の第１凹孔と該片側開閉カバーの他側の第２凹孔内に枢設される、上記回転軸と、
を包含する。
【０００６】
上述の回転軸セットは、スリーブ、ボルト、ナット、及びバネを包含し、該バネは該ボルトに嵌合され、並びに該スリーブ内に収容され、該ナットは該ボルトの末端に螺合される。
【０００７】
本考案の片側開閉カバー式ヘッドアップディスプレイ装置はさらに、覗き見防止シートを包含し、該覗き見防止シートは該表示モジュールの上方に設置される。
【０００８】
本考案の片側開閉カバー式ヘッドアップディスプレイ装置はさらに、ホトセンシングモジュールを包含し、該ホトセンシングモジュールは、該回路板に電気的に接続され、これにより該表示モジュールの輝度を調整する。
【０００９】
本考案の片側開閉カバー式ヘッドアップディスプレイ装置は、そのうち該片側開閉カバーが透明カバー体とされ、該片側開閉カバーの反射板はメッキ膜或いはシールフィルムとされる。
【００１０】
本考案の片側開閉カバー式ヘッドアップディスプレイ装置は、さらにスピーカーモジュールを包含し、それは該回路板に電気的に接続され、音声情報をスピーカーモジュールによりドライバーに告知する。
【００１１】
本考案の片側開閉カバー式ヘッドアップディスプレイ装置の第２実施例は、
機体であって、その内部に収容空間を具え、その内部に回路板を収容し、該機体の上表面に表示開口が設けられ、該機体の両側それぞれに第１凹溝と第１凹孔が設けられ、該第１凹孔内に滑り溝が設けられた、上記機体と、
表示モジュールであって、電気的に該回路板に接続され、並びに該表示開口に設置されて、該回路板が出力する表示フレーム情報を受け取る、上記表示モジュールと、
片側開閉カバーであって、その一側辺の両端にそれぞれ回転軸シートと第２凹孔が設けられ、該回転軸シートは該機体の両側の第１凹溝内に枢設され、該片側開閉カバー内面に反射板が設けられて、該表示モジュールが表示フレーム情報を該反射板に投射し、該第２凹孔に少なくとも一つの凸塊が設けられた、上記片側開閉カバーと、
二つの回転軸セットであって、該機体の両側の第１凹孔と該片側開閉カバーの両側の第２凹孔内に枢設され、外側にスライドブロックが設けられ、該スライドブロックは該第１凹孔の滑り溝に嵌合され、底部に少なくとも一つの第２凹溝が設けられ、該第２凹溝は該第２凹孔の凸塊と嵌合される、上記二つの回転軸セットと、
を包含する。
【００１２】
上述の回転軸セットは、スリーブ、ボルト、ナット、及びバネを包含し、該バネは該ボルトに嵌合され、並びに該スリーブ内に収容され、該ナットは該ボルトの末端に螺合される。
【００１３】
本考案の片側開閉カバー式ヘッドアップディスプレイ装置はさらに、覗き見防止シートを包含し、該覗き見防止シートは該表示モジュールの上方に設置される。
【００１４】
本考案の片側開閉カバー式ヘッドアップディスプレイ装置はさらに、ホトセンシングモジュールを包含し、該ホトセンシングモジュールは、該回路板に電気的に接続され、これにより該表示モジュールの輝度を調整する。
【００１５】
本考案の片側開閉カバー式ヘッドアップディスプレイ装置は、そのうち該片側開閉カバーが透明カバー体とされ、該片側開閉カバーの反射板はメッキ膜或いはシールフィルムとされる。
【００１６】
本考案の片側開閉カバー式ヘッドアップディスプレイ装置は、さらにスピーカーモジュールを包含し、それは該回路板に電気的に接続され、音声情報をスピーカーモジュールによりドライバーに告知する。
【考案の効果】
【００１７】
総合すると、本考案は該表示モジュールを利用し、表示フレーム情報を片側開閉カバーの反射板上に投射し、並びに少なくとも一つの回転軸セットにより、該片側開閉カバーを開いた時に、その回転角度を固定でき、これにより、情報フレームが車両の走行によりぐらつくことがなく、ゆえに、本考案は新規性と進歩性の要件を有している。
【図面の簡単な説明】
【００１８】
【図１】周知の構造図である。
【図２】本考案の片側開閉カバーを起こした図である。
【図３】本考案の立体分解図（一）である。
【図４】本考案の機体構造図である。
【図５】本考案の立体分解図（二）である。
【図６】本考案の機体の局部立体図である。
【図７】本考案の片側開閉カバーの局部立体図である。
【図８】本考案の片側開閉カバーを起こす動作図である。
【図９】本考案の回転軸セットの回転状態の断面図である。
【図１０】本考案の片側開閉カバーを閉じた立体図である。
【図１１】本考案の回転軸セットの片側開閉カバーが閉じた状態の断面図である。
【図１２】本考案の第２実施例の立体分解図である。
【考案を実施するための形態】
【００１９】
図２から図７を参照されたい。それは本考案の片側開閉カバー式ヘッドアップディスプレイ装置２の第１実施例を示し、それは、機体２１、表示モジュール２２、片側開閉カバー２３、回転軸セット２４及び回転軸２５を包含する。
【００２０】
該機体２１は、アッパーシート２１Ｂとボトムシート２１Ａで構成され、該機体２１内部に収容空間２１１が設けられ、該収容空間２１１内に回路板２１２が収容され、該回路板２１２にはマイクロプロセッサ２１３が搭載され、該マイクロプロセッサ２１３は関係情報を処理し並びにフレーム情報を出力し、それは衛星位置決めシステム（ＧＰＳ）３に接続されて、該車両位置を獲得するか、或いは衛星ナビゲーション装置４に接続されて、該衛星ナビゲーション装置４の関係情報、たとえば、走行速度、制限速度、ナビゲーション方向指示等の情報を獲得するか、或いは、車両システムに接続されて、車両関係情報、たとえば、タイヤ圧、車両バッテリーの電気量、ドアの開閉状態、後部トランクの開閉状態、走行速度等の情報を獲得し、該機体２１の上表面に表示開口２１４が設けられ、該機体２１の両側それぞれに、第１凹溝２１５と第１凹孔２１６が設けられ、該第１凹孔２１６内に滑り溝２１７が設けられている。
【００２１】
該表示モジュール２２は、該回路板２１２に電気的に接続され、並びに該表示開口２１４に設置されて、該回路板２１２が出力する表示フレーム情報を受け取り、該フレーム情報は車両タイヤ圧、車両バッテリーの電気量、ドアの開閉状態、後部トランクの開閉状態、走行速度、道路の制限速度、ナビゲーション方向指示等の運転情報とされる。
【００２２】
該片側開閉カバー２３は、透明カバーとされ、その一側辺の両端それぞれに、回転軸シート２３１と第２凹孔２３２が設けられ、該回転軸シート２３１は該機体２１の両側の第１凹溝２１５内に枢設され、該片側開閉カバー２３内面に、反射板２３３が設けられ、該反射板２３３はメッキ膜或いはシールフィルムとされるか、或いは断熱紙、遮光紙とされ得て、該表示モジュール２２は表示フレーム情報を該片側開閉カバー２３の反射板２３３に投射し、ドライバーに提示する効果を達成し、該第２凹孔２３２に少なくとも一つの凸塊２３４が設けられている。
【００２３】
該回転軸セット２４は、該機体２１の一側の第１凹孔２１６と該該片側開閉カバー２３の一側の第２凹孔２３２内に枢設され、該回転軸セット２４は、スリーブ２４１、ボルト２４２、ナット２４３及びバネ２４４を包含し、該バネ２４４は該ボルト２４２に嵌合され、並びに該スリーブ２４１内に収容され、該ナット２４３は該ボルト２４２末端の第１ネジ部２４２１に螺合され、該スリーブ２４１の外側にスライドブロック２４１１が設けられ、該スライドブロック２４１１は該第１凹孔２１６の滑り溝２１７に嵌合され、該スリーブ２４１は該滑り溝２１７の嵌合と、該バネ２４４の弾力作用により、横向き移動の現象を発生でき、該スリーブ２４１の底部に、少なくとも一つの第２凹溝２４１２が設けられて、該第２凹孔２３２の凸塊２３４と嵌合され、これにより、該片側開閉カバー２３が起こされる時に、回転角度が固定され得て、これにより、車両走行時にぐらつかず（図２、図９を参照されたい）、該回転軸セット２４はさらに軸スリーブ２４５を包含し、該軸スリーブ２４５により該回転軸セット２４が保護される。
【００２４】
該回転軸２５は、該機体２１の他側の第１凹孔２１６と該片側開閉カバー２３の他側の第２凹孔２３２内に枢設され、該回転軸２５の末端には、第２ネジ部２５１が設けられ、該第２ネジ部２５１によりナット２５２が螺合、固定され、該回転軸２５はさらに軸スリーブ２５３を具え、これにより該回転軸２５が保護される。
【００２５】
本考案の片側開閉カバー式ヘッドアップディスプレイ装置２はさらに、覗き見防止シート２６を包含し、該覗き見防止シート２６は該表示モジュール２２の上方に設置され、これにより、映像の光漏れが自動車のウインドシールドガラスに反射されるのを防止する。
【００２６】
本考案の片側開閉カバー式ヘッドアップディスプレイ装置２は、さらにホトセンシングモジュール２８を包含し、該ホトセンシングモジュール２８は回路板２１２と電気的に接続され、これにより光の強度を観測し、該表示モジュール２２の輝度を調整し、ドライバーが明らかに表示フレームの情報を見えるようにする。
【００２７】
上述の本考案の片側開閉カバー式ヘッドアップディスプレイ装置２は、さらにスピーカーモジュール２７を包含し、それは該機体２１の後半部に設置され、それは該回路板２１２に電気的に接続され、音声情報を該スピーカーモジュール２７によりドライバーに告知する。該片側開閉カバー式ヘッドアップディスプレイ装置２はさらにマイクロホン２７１を包含し、それは該回路板２１２と電気的に接続され、ドライバー或いはその他の音声情報を受け取る。
【００２８】
本考案の片側開閉カバー式ヘッドアップディスプレイ装置２は、さらにメモリカードスロット２９を包含し、それは該回路板２１２に電気的に接続され、該メモリカードスロット２９は該機体２１に設置されて、メモリカードを外接するのに利用される。
【００２９】
図２、３、４、６、７及び図１２を参照されたい。それは本考案の片側開閉カバー式ヘッドアップディスプレイ装置２の第２実施例である。それは、機体２１、表示モジュール２２、片側開閉カバー２３、及び二つの回転軸セット２４を包含する。
【００３０】
該機体２１は、アッパーシート２１Ｂとボトムシート２１Ａで構成され、該機体２１内部に収容空間２１１が設けられ、該収容空間２１１内に回路板２１２が収容され、該回路板２１２にはマイクロプロセッサ２１３が搭載され、該マイクロプロセッサ２１３は関係情報を処理し並びにフレーム情報を出力し、それは衛星位置決めシステム（ＧＰＳ）３に接続されて、該車両位置を獲得するか、或いは衛星ナビゲーション装置４に接続されて、該衛星ナビゲーション装置４の関係情報、たとえば、走行速度、制限速度、ナビゲーション方向指示等の情報を獲得するか、或いは、車両システムに接続されて、車両関係情報、たとえば、タイヤ圧、車両バッテリーの電気量、ドアの開閉状態、後部トランクの開閉状態、走行速度等の情報を獲得し、該機体２１の上表面に表示開口２１４が設けられ、該機体２１の両側それぞれに、第１凹溝２１５と第１凹孔２１６が設けられ、該第１凹孔２１６内に滑り溝２１７が設けられている。
【００３１】
該表示モジュール２２は、該回路板２１２に電気的に接続され、並びに該表示開口２１４に設置されて、該回路板２１２が出力する表示フレーム情報を受け取り、該フレーム情報は車両タイヤ圧、車両バッテリーの電気量、ドアの開閉状態、後部トランクの開閉状態、走行速度、道路の制限速度、ナビゲーション方向指示等の運転情報とされる。
【００３２】
該片側開閉カバー２３は、透明カバーとされ、その一側辺の両端それぞれに、回転軸シート２３１と第２凹孔２３２が設けられ、該回転軸シート２３１は該機体２１の両側の第１凹溝２１５内に枢設され、該片側開閉カバー２３内面に、反射板２３３が設けられ、該反射板２３３はメッキ膜或いはシールフィルムとされるか、或いは断熱紙、遮光紙とされ得て、該表示モジュール２２は表示フレーム情報を該片側開閉カバー２３の反射板２３３に投射し、ドライバーに提示する効果を達成し、該第２凹孔２３２に少なくとも一つの凸塊２３４が設けられている。
【００３３】
該二つの回転軸セット２４は、該機体２１の両側の第１凹孔２１６と該片側開閉カバー２３の両側の第２凹孔２３２内に枢設され、該回転軸セット２４は、スリーブ２４１、ボルト２４２、ナット２４３及びバネ２４４を包含し、該バネ２４４は該ボルト２４２に嵌合され、並びに該スリーブ２４１内に収容され、該ナット２４３は該ボルト２４２末端の第１ネジ部２４２１に螺合され、該スリーブ２４１の外側にスライドブロック２４１１が設けられ、該スライドブロック２４１１は該第１凹孔２１６の滑り溝２１７に嵌合され、該スリーブ２４１は該滑り溝２１７の嵌合と、該バネ２４４の弾力作用により、横向き移動の現象を発生でき、該スリーブ２４１の底部に、少なくとも一つの第２凹溝２４１２が設けられて、該第２凹孔２３２の凸塊２３４と嵌合され、これにより、該片側開閉カバー２３が起こされる時に、回転角度が固定され得て、これにより、車両走行時にぐらつかず（図２、図９を参照されたい）、該回転軸セット２４はさらに軸スリーブ２４５を包含し、該軸スリーブ２４５により該回転軸セット２４が保護される。
【００３４】
本考案の片側開閉カバー式ヘッドアップディスプレイ装置２はさらに、覗き見防止シート２６を包含し、該覗き見防止シート２６は該表示モジュール２２の上方に設置され、これにより、映像の光漏れが自動車のウインドシールドガラスに反射されるのを防止する。
【００３５】
本考案の片側開閉カバー式ヘッドアップディスプレイ装置２は、さらにホトセンシングモジュール２８を包含し、該ホトセンシングモジュール２８は回路板２１２と電気的に接続され、これにより光の強度を観測し、該表示モジュール２２の輝度を調整し、ドライバーが明らかに表示フレームの情報を見えるようにする。
【００３６】
上述の本考案の片側開閉カバー式ヘッドアップディスプレイ装置２は、さらにスピーカーモジュール２７を包含し、それは該機体２１の後半部に設置され、それは該回路板２１２に電気的に接続され、音声情報を該スピーカーモジュール２７によりドライバーに告知する。該片側開閉カバー式ヘッドアップディスプレイ装置２はさらにマイクロホン２７１を包含し、それは該回路板２１２と電気的に接続され、ドライバー或いはその他の音声情報を受け取る。
【００３７】
本考案の片側開閉カバー式ヘッドアップディスプレイ装置２は、さらにメモリカードスロット２９を包含し、それは該回路板２１２に電気的に接続され、該メモリカードスロット２９は該機体２１に設置されて、メモリカードを外接するのに利用される。
【００３８】
以上の部品で構成されることにより、本考案の第１、第２実施例中、ドライバーは各種の運転情報をみる必要がある時（図８、９）、ただ該片側開閉カバー２３を上向きに定位まで回せば、該スリーブ２４１のスライドブロック２４１１が該第１凹孔２１６の滑り溝２１７と嵌合し、並びに該バネ２４４の弾力作用により、横向き移動する現象を発生し、強制的に該スリーブ２４１の底部の第２凹溝２４１２を第２凹孔２３２の凸塊２３４と嵌合させ、これにより、該片側開閉カバー２３が起こされた時に、その回転角度が固定され、こうして、該片側開閉カバー２３内面の反射板２３３に投射される表示フレーム情報が、走行によりぐらつくことがない。また、ドライバーが運転情報をみる必要がない時は（図１０、１１に示されるとおり）、ただ該片側開閉カバー２３を下向きに閉じれば、このとき、該スリーブ２４１の第２凹溝２４１２と該第２凹孔２３２の凸塊２３４はそれ以上弾力作用を受けず、嵌合状態より離脱し、これにより、該片側開閉カバー２３に順調に下向きに閉じる操作を完成させる。
【符号の説明】
【００３９】
１１  ディスプレイ
１２  回転軸
２  片側開閉カバー式ヘッドアップディスプレイ装置
２１  機体
２１Ａ  ボトムシート
２１Ｂ  アッパーシート
２１１  収容空間
２１２  回路板
２１３  マイクロプロセッサ
２１４  表示開口
２１５  第１凹溝
２１６  第１凹孔
２１７  滑り溝
２２  表示モジュール
２３  片側開閉カバー
２３１  回転軸シート
２３２  第２凹孔
２３３  反射板
２３４  凸塊
２４  回転軸セット
２４１  スリーブ
２４１１  スライドブロック
２４１２  第２凹溝
２４２  ボルト
２４２１  第１ネジ部
２４３  ナット
２４４  バネ
２４５  軸スリーブ
２５  回転軸
２５１  第２ネジ部
２５２  ナット
２６  覗き見防止シート
２７  スピーカーモジュール
２７１  マイクロホン
２８  ホトセンシングモジュール
２９  メモリカードスロット
３  衛星位置決めシステム
４  衛星ナビゲーション装置
【図１】
0003186157.tif 000003
【図２】
0003186157.tif 000004
【図３】
0003186157.tif 000005
【図４】
0003186157.tif 000006
【図５】
0003186157.tif 000007
【図６】
0003186157.tif 000008
【図７】
0003186157.tif 000009
【図８】
0003186157.tif 000010
【図９】
0003186157.tif 000011
【図１０】
0003186157.tif 000012
【図１１】
0003186157.tif 000013
【図１２】
0003186157.tif 000014